(57)【要約】【課題】架台内発熱量が増加してもＸ線検出器温度を所定値以下に保つ冷却構造を有するＸ線ＣＴ装置を提供する。【解決手段】被検者１が挿入される開口部３９を外周するようにＸ線管３、冷却器５、Ｘ線検出器４、高電圧発生装置等を搭載して前記被検者１の周りを回転する回転体１０と、この回転体１０を収容し、外気吸込口２１と、外部に熱を排出する冷却ファン１５とを備えた架台１４と、前記被検者１を載置する寝台２とを有するＸ線ＣＴ装置において、前記回転体１０の内周面に外気を導入するダクト１７を設け、前記Ｘ線検出器４の回転時の通過面が前記回転体の回転中心軸と前記ダクト１７の入口との間に位置し、前記ダクト本体１７が前記架台前面カバー固定部１９内面側に設けられ、前記ダクト入口は架台前面カバー固定部１９前側に設ける。【選択図】　　　図１
2004121717.tif 000002
【特許請求の範囲】
【請求項１】
被検者が挿入される開口部を外周するようにＸ線管、冷却器、Ｘ線検出器、高電圧装置等を搭載して前記被検者の周りを回転する回転体と、この回転体を収容し、外気吸込口と、外部に熱を排出する冷却ファンと、前後、左右、及び天井カバーとを備えた架台と、前記被検者を載置する寝台とを有するＸ線ＣＴ装置において、前記回転体内周面へ外気を導入するダクトを設け、前記Ｘ線検出器の回転時の通過面が、前記回転体の回転中心軸と、前記ダクト入口との間に位置し、前記ダクト本体が前記架台前面カバー固定部内面側に設けると共に前記ダクト入口は架台前面カバー固定部前側に設けたことを特徴とするＸ線ＣＴ装置。
【請求項２】
架台前面カバー固定部内側上部に位置するダクト出口はＹ字状に左右に分岐していることを特徴とする請求項１記載のＸ線ＣＴ装置。
【請求項３】
架台内温度検知手段と、冷却ファンの制御装置とを設けて、架台内温度に応じて、前記ファンの運転台数あるいは回転数を制御することを特徴とする請求項１又は請求項２に記載のＸ線ＣＴ装置。
【請求項４】
被検者が挿入される開口部を外周するようにＸ線管、冷却器、Ｘ線検出器、高電圧装置等を搭載して前記被検者の周りを回転する回転体と、この回転体を収容し、外気吸込口と、外部に熱を排出する冷却ファンと、前後、左右、及び天井カバーとを備えた架台と、前記被検者を載置する寝台とを有するＸ線ＣＴ装置において、前記前後、左右、及び天井カバーの各々の間に形成される隙間の内、撮影口部以外の隙間を全て、或いは少なくとも一部を、シール材を用いてシールすることを特徴とするＸ線ＣＴ装置。
【請求項５】
被検者が挿入される開口部を外周するようにＸ線管、冷却器、Ｘ線検出器、高電圧装置等を搭載して前記被検者の周りを回転する回転体と、この回転体を収容し、外気吸込口と、外部に熱を排出する冷却ファンと、前後、左右及び天井カバーとを備えた架台と、前記被検者を載置する寝台とを有するＸ線ＣＴ装置において、前記前後カバーに取り付けられる電気部品と該カバーとの間に形成される隙間をシール材を用いてシールすることを特徴とするＸ線ＣＴ装置。
【請求項６】
被検者が挿入される開口部を外周するようにＸ線管、冷却器、Ｘ線検出器、高電圧装置等を搭載して前記被検者の周りを回転する回転体と、この回転体を収容し、外気吸込口と、外部に熱を排出する冷却ファンと、前後、左右及び天井カバーとを備えた架台と、前記被検者を載置する寝台とを有するＸ線ＣＴ装置において、静止時に前記冷却器が前記架台正面左上部に停止する構造とし、前記架台正面左側に設けた冷却ファンからの風量が少なくとも前記架台正面右側に設けた冷却ファンの風量より多くなるように前記冷却ファンを設けたことを特徴とするＸ線ＣＴ装置。
【発明の詳細な説明】
【０００１】
【発明の属する技術分野】
本発明はＸ線ＣＴ装置に関し、特にスキャナ架台内部で発生した熱によるＸ線検出器の機能低下を防止するＸ線ＣＴ装置に関する。
【０００２】
【従来の技術】
従来の技術を［特許文献１］に記載の図１３をもとに説明する。
図１３において、Ｘ線管３から照射された扇状のＸ線ビームは、被検者１を透過し、この透過Ｘ線信号はビームの方向に多数（例えば約１，０００個）のＸ線検出素子をアレイ状に配列した多チャンネルのＸ線検出器４により検出される。被検者１の周りを回転する回転体１０に搭載されたＸ線管３とＸ線検出器４が、開口部３９内の被検者１の各方向から回転しながら連続的に撮影を行い、且つこの際、被検者１を載せた寝台２が被検者１の体軸方向に一定速度で移動することで、螺旋状に被検者の広い範囲を短時間で撮影することができる。検出したＸ線信号はコンピュータで画像処理され、被検者１の断層写真が得られる。Ｘ線検出器４は温度依存性を有するため、温度を図示しない温度調節装置で一定に保ち、周囲温度の変化によるＸ線検出感度の変化を防止している。より具体的には、図示しないヒータで加熱することで、室温よりは高く、周囲の予想される最高温度、例えば３５℃程度に保たれている。なお、６はＸ線管３のアノード・カソード間に印加する高電圧を発生する高電圧発生装置、８は前記Ｘ線検出器４の出力を増幅するアンプ、９は電装品ａであり、これらは回転体１０に搭載されている。１２，１３は電装品ｂ，ｃ，１１は回転体駆動手段である。
【０００３】
一方、Ｘ線発生時に入力されるエネルギのうち、Ｘ線として利用されるのは１％程度であり、残りはＸ線管３内部で熱に変換される。この熱の大部分はＸ線管から絶縁油を介して図示しないポンプで冷却器５に運ばれ、冷却器５において架台１４内部の空気に放散される。冷却器５等の架台内部の機器から発生した熱は、架台の天井部に設けられた冷却ファン１５により架台外部に排気され、架台１４内部の過度の温度上昇を防止する。
【０００４】
【特許文献１】
特開平１０−２３４７２２号公報。
【０００５】
【発明が解決しようとする課題】
近年、Ｘ線ＣＴ装置の機能向上、使用方法の多様化に対応するために、Ｘ線管の容量が急速に大きくなり、それに伴って発熱量が増大して、撮影条件によっては連続撮影を行う場合に、従来の冷却方法では不十分となるおそれが生じている。架台内部の温度が過度に上昇するとＸ線検出器の温度が温度制御の設定温度以上に上昇して、検出感度が均一でなくなり、リング状の擬像（アーチファクト）が生じることが懸念される。Ｘ線検出器の設定温度を周囲温度に合わせて上げることは、検出器の温度依存性から検出感度の低下につながるため得策ではなく、検出器周囲を含めた架台内部温度の上昇を防止することが望まれる。架台内部温度の上昇を防止するには、架台天井部に設けられている冷却ファンの送風量を増加することが有効である。しかしながら、Ｘ線ＣＴ装置は室内に設置されるため、設置上の問題から過度に送風量を増加できない。また風量の増加は、一般に騒音の増加につながる。
【０００６】
Ｘ線検出器を冷却するには、検出器と外気の間を遮蔽している被検者を挿入する開口部の周囲の部分に、通気口を設けることが有効と考えられるが、異物が回転体内部に入ることを防止するため、また近年行われているＣＴを用いた血管造影時に、被検者の血液等が回転体内部へ入ることを防止するため、前記開口部分を密閉した冷却構造が望ましい。
【０００７】
本発明の目的は、大容量Ｘ線管を搭載し、架台内部の発熱量が増加したＸ線ＣＴ装置で、Ｘ線検出器の温度上昇を防止して、安定した撮影を実現することにある。
【０００８】
【課題を解決するための手段】
上記目的は以下の手段によって達成される。
（１）被検者が挿入される開口部を外周するようにＸ線管、冷却器、Ｘ線検出器、高電圧装置等を搭載して前記被検者の周りを回転する回転体と、この回転体を収容し、外気吸込口と、外部に熱を排出する冷却ファンと、前後、左右、及び天井カバーとを備えた架台と、前記被検者を載置する寝台とを有するＸ線ＣＴ装置において、前記回転体内周面へ外気を導入するダクトを設け、前記Ｘ線検出器の回転時の通過面が、前記回転体の回転中心軸と、前記ダクト入口との間に位置し、前記ダクト本体が前記架台前面カバー固定部内面側に設けると共に前記ダクト入口は架台前面カバー固定部前側に設ける。
（２）上記　（１）の架台前面カバー固定部内側上部に位置するダクト出口はＹ字状に左右に分岐していても良い。
（３）上記（１）又は（２）のＸ線ＣＴ装置に、架台内温度検知手段と、冷却ファンの制御装置とを設けて、架台内温度に応じて前記ファンの運転台数あるいは回転数を制御する。
（４）被検者が挿入される開口部を外周するようにＸ線管、冷却器、Ｘ線検出器、高電圧装置等を搭載して前記被検者の周りを回転する回転体と、この回転体を収容し、外気吸込口と、外部に熱を排出する冷却ファンと、前後、左右、及び天井カバーとを備えた架台と、前記被検者を載置する寝台とを有するＸ線ＣＴ装置において、前記前後、左右、及び天井カバーの各々の間に形成される隙間の内、撮影口部以外の隙間を全て、或いは少なくとも一部を、シール材を用いてシールする。
（５）被検者が挿入される開口部を外周するようにＸ線管、冷却器、Ｘ線検出器、高電圧装置等を搭載して前記被検者の周りを回転する回転体と、この回転体を収容し、外気吸込口と、外部に熱を排出する冷却ファンと、前後、左右及び天井カバーとを備えた架台と、前記被検者を載置する寝台とを有するＸ線ＣＴ装置において、前記前後カバーに取り付けられる電気部品と該カバーとの間に形成される隙間をシール材を用いてシールする。
（６）被検者が挿入される開口部を外周するようにＸ線管、冷却器、Ｘ線検出器、高電圧装置等を搭載して前記被検者の周りを回転する回転体と、この回転体を収容し、外気吸込口と、外部に熱を排出する冷却ファンと、前後、左右及び天井カバーとを備えた架台と、前記被検者を載置する寝台とを有するＸ線ＣＴ装置において、静止時に前記冷却器が前記架台正面左上部に停止する構造とし、前記架台正面左側に設けた冷却ファンからの風量が少なくとも前記架台正面右側に設けた冷却ファンの風量より多くなるように前記冷却ファンを設ける。
【０００９】
【発明の実施の形態】
以下、本発明の実施に係る形態を図面を参照して説明する。図１は本発明に係るＸ線ＣＴ装置のスキャナ架台部の第１の実施形態を示す図で、図１（ａ）は正面断面図、図１（ｂ）は側面断面図である。
【００１０】
図１において、１は被検者、２は寝台、３はＸ線管、４はＸ線検出器、５は冷却器、６は高電圧発生装置（後述のインバータの出力電圧を昇圧する高電圧トランスと、このトランスの出力電圧を直流の高電圧に変換する高電圧整流器及びＸ線管のフィラメントを加熱する加熱トランス等から成る）、７はＸ線制御装置（交流を直流に変換するコンバータと、このコンバータで変換された直流を高い周波数に変換するインバータと、前記コンバータ、インバータを制御する制御装置などから成る）、８はＸ線検出器４の出力を増幅するアンプ、９は電装品ａ、１０は回転体、１１は回転体駆動手段、１２は電装品ｂ、１３は電装品ｃ、１４は架台、１５は冷却ファン、１７は送風ダクト、１８は架台前面カバー可動部、１９は架台前面カバー固定部、２０は寝台昇降部、２１は架台吸入口、３９は被検者を挿入する開口部である。以下、同一機能のものには同一符号を付して説明を省略する。
【００１１】
Ｘ線管３から被検者１に照射されたＸ線は検出器４で検出される。Ｘ線管３、検出器４、冷却器５、高電圧発生装置６、Ｘ線制御装置７、アンプ８、電装品ａ９は回転体１０上に設置され、回転体駆動手段１１により、被検者１の外周を例えば０．５〜１０．秒に１回転の速さで高速に回転しながら、Ｘ線撮影を行う。この時寝台２が体軸方向に同時に一定速度で移動して被検者１を螺旋状に撮影する。Ｘ線発生に伴ってＸ線管３で発生した熱は、絶縁油の循環により冷却器５に導かれ、架台１４内部に放散される。回転体１０が回転中には、回転しながら冷却器５から熱が放散されるため、架台１４内部は攪拌が進み、均温化される。架台１４の天井部には冷却ファン１５が設置され、架台１４内部で発生した熱を架台外部に排気している。一方、架台吸入口２１等から外気が架台１４内部に流入して、架台１４の冷却が行われる。
【００１２】
Ｘ線管３が大容量化し、発熱量が増えると、架台１４内部の温度が上昇する。このため、特に均一に設定温度（例えば３５℃）になるように温度調節されている検出器４の温度が、設定値を超えて上昇するおそれがある。また回転体１０上の高電圧発生装置６やＸ線制御装置７等の他の機器も架台１４内温度が過度に上昇すると内部の機器の動作に影響を及ぼすことが懸念される。
【００１３】
一般にＸ線ＣＴ装置で最も温度の影響を受けるのは、検出器４であり、検出器４以外の機器（例えば高電圧発生装置６、Ｘ線制御装置７）は検出器４の設定温度より高い温度（例えば４０℃）で連続的に適正に作動するように製作されている。
【００１４】
架台内部を所定温度に抑えるために必要な風量は、架台内部発熱量に比例し、架台内部温度と架台入口温度との差に反比例することが、一般に知られている。同一発熱量（８ｋＷ）、同一入口温度（２８℃）で比較すると、架台内部を４０℃にするために必要な送風量は、架台内部を３５℃にするために必要な送風量の約５８％でよい。送風量が少なくなれば、ファンを小型化，低コスト化できること，さらにファン騒音を低減できる利点がある。また冷却ファン１５により設置室内に過度の対流が生じるおそれもなくなる。
【００１５】
しかしながら架台内部温度を４０℃と想定して冷却ファン１５の風量を決めた場合、検出器４は前述した設定温度（３５℃）を維持できなくなる。検出器４に温度の低い外気（２８℃）を送風して局所的に冷却することができれば、冷却ファン風量を大幅に増加することなく、検出器４の温度を設定温度に保つことができる。
【００１６】
そこで、第１の実施の形態によれば、図１に示すように送風ダクト１７を架台前面カバー固定部１９の内側に設ける。送風ダクト１７の入口は架台前面カバー固定部前側に設置し、検出器４の回転時の通過面が、回転中心軸と、前記ダクト１７入口との間に位置するようにする。ダクト本体は架台前面カバー固定部１９の内面側に設置する。
【００１７】
冷却ファン１５により、架台内に導入される温度の低い外気（例えば２８℃）は検出器４などが設置されている回転体１０の内周面に直接導かれる。従来は架台内に流入した外気は回転体１０の内周面に到達する前に、架台内の比較的温度の高い空気と混合するため、回転体内周面での温度が下がりにくい構造となっていたが、本実施の形態のように温度の低い外気を直接検出器４等の設置される回転体１０内周面に送風する構造とすることで、回転体１０内周面の温度が下がり、検出器４の温度上昇を抑えることができる。したがって連続撮影によって発熱量が増加した場合であっても、検出器４温度の上昇による画像の劣化を防止でき、医療現場において患者のスループットを向上することができる。
【００１８】
尚、回転体１０が回転中には検出器４だけを冷却することはできないが、０．５〜１１秒に１回転と高速に回転するため、検出器４の冷却は十分に行われる。また高電圧発生装置６やＸ線制御装置７等の回転体１０上に設置される検出器以外の他の機器の冷却も促進される。
【００１９】
また回転時には、回転体１０の最外周部が一点鎖線で示す回転体通過領域を通過するが、図１に示すように架台前面カバー固定部１９と回転体通過領域の隙間に送風ダクト１７を設置して、回転体１０上の機器と送風ダクト１７とが接触しないようにする。
【００２０】
図２に第１の実施の形態についてメンテナンス時に架台前面カバー可動部１８を開けた図を示す。送風ダクト１７は固定部に設置されるため、図２に示すようにメンテナンス時に架台前面カバー１８の開閉を繰り返した場合であっても回転部と接触しない構造とすることができる。
【００２１】
架台前面カバー固定部１９は図２に示すように、架台前面カバー可動部１８が上方向に開く際に、寝台２、及び寝台昇降部２０と干渉しないようにするため架台１４に固定されている部分であり、多くのＸ線ＣＴ装置に設けられているものである。
【００２２】
一般にＸ線ＣＴ装置は、架台本体の大きさを小さくするため、内部が高密度に実装されている。回転部と固定部とのクリアランスは非常に小さく、最も小さいところでは１０〜２０ｍｍ程度となる場合もある。送風ダクト１７と回転部とのクリアランスについても大きくとることができないが、送風ダクト１７が固定部に設置されているため、可動部１８に設置する場合に比べて、開閉時の位置誤差を考慮した余計なクリアランスを設ける必要がなくコンパクトな実装が可能となる。
【００２３】
また送風ダクト１７の入口は、架台前面カバー固定部１９に設けられるため、血管造影を実施する場合などで被検者１の血液や造影剤等が誤って、開口部３９の下側に流れ落ちた場合でも、架台前面カバー１８により遮られて、架台内部に流入することはない。また送風ダクト１７の入口は架台前面カバー固定部１９の下側に位置し、送風ダクト１７は上向きに空気が流れる構造となっているため、血液等が架台前面カバー１８に沿って流れ落ちてきた場合でも架台内部に流入することなく、安全衛生上の問題も生じない。
【００２４】
送風ダクト１７の構造としては、図３に示すようにＹ字状に左右にダクト出口を設ける構造としてもよい。斜めに左右に吸気されることにより、検出器４冷却後の空気が開口部３９の壁に邪魔されにくくなるため、高電圧発生装置６や電装品９ａ等の機器を続いて冷却することができる。
【００２５】
上記した実施の形態について、冷却ファン１５の制御方法について図４を参照して説明する。図４において、２２は温度検知手段、２３は制御装置、２４は電源である。
【００２６】
例えば、ある日の第１回目の撮影においては、架台内の温度は室温と同じ程度（例えば２８℃）であり、図１、及び図２に示す構造で冷却ファン１５により検出器４を過度に冷却すると、図示しない温度調節機が検出器４の設定温度（例えば３５℃）を維持するように作用するが，室温が低い場合には検出器４内の図示しないヒータの発熱量では温度を維持できないおそれがある。そこで、図４に示すように温度検知手段２２により架台内部温度を検知して、検知した温度に応じて制御装置２３により冷却ファン１５の送風量を制御する構成とする。冷却ファン１５の送風量の制御方法としては、例えばファンモータの周波数で制御する方式、或いはファンモータの電圧を制御する方式、或いはまた温度に応じてファンをオン／オフする方式等が挙げられる。より簡便な構成として運転する冷却ファン１５の台数を可変させる制御としてもよい。本実施の形態によれば、撮影前のように発熱量が小さく、架台内温度が低い場合に検出器４を過度に冷却して設定温度以下に下げることなく、安定した撮影を行うことが可能となる。
【００２７】
第２の実施形態に関して図５、６、７を用いて説明する。図５において２５は前面カバー、２６は後面カバー、２７は左面カバー、２８は右面カバー、２９は天井面カバー、３０は前面カバー２５と右面カバー２８間の隙間、３１は後面カバー２６と右面カバー２８間の隙間、３２は前面カバー２５と天井面カバー２９間の隙間、３３は後面カバー２６と天井面カバー２９間の隙間、３４は右面カバー２８と天井面カバー２９間の隙間、３５は左面カバー２７と天井面カバー２９間の隙間、３６，３７はシール材である。図５の平面Ａでの断面を図６に示す。一般のＸ線ＣＴ装置では、組み立て性と特に前面カバー２５についてはメンテナンス時に開閉する際の作業性とから、カバー同士は図６に示すように入れ子状に噛み合わされる構造になっている。したがって架台内部は隙間３０、及び３１等を介して外気と連通している。このため冷却ファン１５を運転すると、隙間３０，３１等から外気を架台内部に吸入する。冷却ファン１５により形成される架台内部の圧力分布から、特に冷却ファン１５に近い隙間ほど、外気の吸入量が増加する。このため本来、冷却ファン１５は架台内の温度の高い空気を外部に排気する役目なのであるが、隙間から流入した温度の低い外気を排気する風量が増加することなる。架台内空気温度の上昇防止の観点からは、隙間３０，３１等からの外気の流入を防止することが望ましい。開口部３９部分で前面カバー２５と後面カバー２６が接合する部分の両者の隙間については異物が内部に侵入することを防止する観点から、一般のＸ線ＣＴ装置ではシールが行われているが、それ以外のカバー同士の接合面では、組み立て性と特に前面カバー２５についてはメンテナンス時に開閉する際の作業性を優先して、シールに関する配慮はなされていない。
【００２８】
第２の実施の形態では図７に示すように、前面カバー２５側にシール材３７を、右面カバー２８側にシール材３６を設置して隙間３０をシールする。或いは図示しないが、前面カバー２５側シール材３７だけでシールしてもよいし、右面カバー２８側シール材３６だけでシールしてもよい。シール材にはスポンジ状の発泡剤を用いてもよいし、ゴム状のものを用いてもよく、隙間３０をふさぐものであればよい。上記したシールは他の隙間３２，３３等でも同じように処理できるものとして説明を省略する。
【００２９】
本実施の形態によれば、カバー同士の隙間から外気の吸入が無くなるので、冷却ファン１５が架台内部の温度の高くなった空気だけを排気するため、隙間のある場合と同一風量を排気する場合でも、架台内部の温度を低下することが可能となる。また隙間のある場合と同じだけ架台内部から放熱するのであれば、シールを行った場合、冷却ファン１５の回転数を下げて、送風量を低減してもよいため、冷却ファン１５の騒音を低減することが可能となる。また前面カバー２５はメンテナンス時には図２に示すように上部に開かれるのであるが、図７に示すようなシール構造であれば容易に開閉を行うことが可能であり、カバーを閉じた時に隙間をシールできる。
【００３０】
第３の実施形態に関して図８、９、１０を用いて説明する。図８、９、１０において、３８は後面カバー２６に設置された電気品、４０は後面カバー２６と電気品３８間の隙間、４１はシール材である。電気品３８は例えばオペレータが被検者と対話するスピーカなどの部品である。カバーの曲面部に電気品３８が設置されるため、電気品３８の周りには隙間４０が存在する場合が多い。こうした場合には上記した第３の実施の形態と同じ不都合が生じるため、図９に示すように隙間４０をシール材４１でシールして、冷却ファン１５による放熱を促進する。或いはまた、図１０に示すようにシール材４０が電気品３８の架台内部側をシールするような構造としても良い。
【００３１】
第４の実施形態に関して図１１，１２を用いて説明する。図１１，１２において、１５ａは右側冷却ファン、１５ｂは左側冷却ファンである。図１２に示す一般的なＸ線ＣＴ装置では、右側冷却ファン１５ａに流入する流れが、撮影時には回転体１０が回転する作用で、流入方向とは逆側に引き込まれる。そのため右側冷却ファン１５ａの送風量は静止時に比べ減少することが実機測定により確認されている。左側冷却ファン１５ｂ側に冷却ファン１５を集約すれば、この弊害は防止できるが、静止時には、一般的なＸ線ＣＴ装置では図１２に示すように冷却器５が架台内右上の位置に静止するため、左側冷却ファン１５ｂ側に冷却ファン１５を集約すると、冷却器５の排気によって、架台内右上部分が高温となってしまう。
【００３２】
第４の実施の形態によれば、図１１に示すように静止時に冷却器５が架台正面左上部に停止する構造とし、冷却ファン１５を天井部正面左側に集約して設置することで、静止時においては、冷却器５の排気を左側冷却ファン１５ｂによって効果的に排気することが可能であり、かつ回転時においても冷却ファン１５の送風量が減少することなく、架台内部を安定して冷却することが可能となる。図１１では冷却ファン１５を左側冷却ファン１５ｂに全て集約した形態を示しているが、右側冷却ファン１５ａを残して左側冷却ファン１５ｂに対して相対的に送風量を少なくした構成としても、回転時の冷却ファン１５全体での送風量低減作用を少なくする効果がある。
【００３３】
上記した各実施の形態において、回転体１０の駆動はベルト駆動方式によって行ってもよいし、ダイレクトドライブ方式によって行ってもよい。
【００３４】
【発明の効果】
本発明によれば、架台内部で最も温度を低く保つ必要のある検出器を、架台前面カバー固定部に設置した送風路を用いて温度の低い外気により直接冷却することができる。したがって大容量Ｘ線管を用いた連続撮影によって発熱量が増加した場合であっても、検出器温度の上昇による画像の劣化を防止することが可能なＸ線ＣＴ装置を提供することができる。
【００３５】
また別の本発明によれば、カバー間に形成される隙間を全て、或いは一部をシールすることで、カバー同士の隙間から外気の吸入が無くなるので、冷却ファンが架台内部の温度の高くなった空気だけを排気するため、隙間のある場合と同一風量を排気する場合でも、架台内部の温度を低下することが可能なＸ線ＣＴ装置を提供することができる。
【００３６】
また別の本発明によれば、静止時に冷却器が架台正面左上部に停止する構造とし、正面左側冷却ファン風量が正面右側冷却ファン風量より少なくとも多くなるように冷却ファンを設置することで、静止時においては冷却器の排気を左側冷却ファンによって効果的に排気することが可能であり、かつ回転時においても冷却ファン１５の送風量が減少することなく、架台内部を安定して冷却することが可能なＸ線ＣＴ装置を提供することができる。
【図面の簡単な説明】
【図１】本発明の第１の実施の形態であるＸ線ＣＴ装置の断面図。
【図２】図１の架台前面カバー可動部１８を開けた図。
【図３】本発明の第１の実施形態の送風ダクトをＹ字状に左右にダクト出口を設けた構造図。
【図４】本発明の第１の実施形態に架台内部温度を検知して冷却ファンの送風量を制御する構成を用いた図。
【図５】本発明の第２の実施の形態であるＸ線ＣＴ装置の架台の斜視図。
【図６】図５の平面Ａでの断面図。
【図７】本発明の第２の実施の形態であるＸ線ＣＴ装置の架台の隙間をシールした図。
【図８】本発明の第３の実施の形態であるＸ線ＣＴ装置の断面図。
【図９】本発明の第３の実施の形態であるＸ線ＣＴ装置の架台の隙間をシールした図。
【図１０】本発明の第３の実施の形態であるＸ線ＣＴ装置の架台の隙間をシールした図。
【図１１】本発明の第４の実施の形態であるＸ線ＣＴ装置の断面図。
【図１２】本発明の第４の実施の形態であるＸ線ＣＴ装置の断面図。
【図１３】従来例のＸ線ＣＴ装置の概略の構成を示す図。
【符号の説明】
１：被検者、２：寝台、３：Ｘ線管、４：Ｘ線検出器、５：冷却器、６：高電圧発生装置、７：Ｘ線制御装置、８：アンプ、９：電装品ａ、１０：回転体、１１：回転体駆動手段、１２：電装品ｂ、１３：電装品ｃ、１４：架台、１５：冷却ファン、１７：送風ダクト、１８架台前面カバー可動部、１９：架台前面カバー固定部、２０：寝台昇降部、２１：架台吸入口、２２：温度検知手段、２３：制御装置、２４：電源、２５：前面カバー、２６：後面カバー、２７：左面カバー、２８：右面カバー、２９：天井面カバー、３０：前面／右面カバー間隙間、３１：後面／右面カバー間隙間、３２：前面／天井面カバー間隙間、３３：後面／天井面カバー間隙間、３４：右面／天井面カバー間隙間、３５：左面／天井面カバー間隙間、３６：シール材、３７：シール材、３８：電気品、３９：撮開口部、４０：隙間、４１：シール材
【図１】
2004121717.tif 000003
【図２】
2004121717.tif 000004
【図３】
2004121717.tif 000005
【図４】
2004121717.tif 000006
【図５】
2004121717.tif 000007
【図６】
2004121717.tif 000008
【図７】
2004121717.tif 000009
【図８】
2004121717.tif 000010
【図９】
2004121717.tif 000011
【図１０】
2004121717.tif 000012
【図１１】
2004121717.tif 000013
【図１２】
2004121717.tif 000014
【図１３】
2004121717.tif 000015